(57)【要約】【課題】異物が油溜め内に侵入するのを確実に阻止し得る油圧エレベーターの異物侵入防止構造の提供。【解決手段】上記課題は、ダストシール１６により掻き取られた作動油を回収するためにグランド１３の上面に設けたリング状の溝からなる油溜め１９への異物侵入をネット２０により防止するようにした油圧エレベーターの異物侵入防止構造において、ネット２０の片面に等間隔で薄板を貼り付けた側の面と、ダストシール押え部材１７の全外周側面を当接し、かつ、ネット２０の下方端の前記薄板を貼り付けた面の反対面側が油溜め１９内の全外周側壁に当接するとともに、ネット２０の上方側の先端部をダストシール押え部材１７の上面よりも上方に位置させ、かつ、ネット２０の下方端側に複数個のスリットを設けることによって、達成できる。【選択図】図２
2007261786.tif 000002
【特許請求の範囲】
【請求項１】
油圧ユニットにより送り込まれた作動油により押し上げられるプランジャーと、このプランジャーの外筒となるシリンダーと、このシリンダーの上部に設けられて前記プランジャーの案内及び前記作動油の封油を行うグランドと、このグランドの上方に位置して前記プランジャーの外周面に付着した作動油を掻き取るダストシールと、前記グランドの上方に位置して前記ダストシールを押さえるダストシール押え部材と、前記ダストシールにより掻き取られた作動油を回収するために前記グランドの上面に設けたリング状の溝からなる油溜めを少なくとも備え、その油溜めへの異物侵入をネットにより防止するようにした油圧エレベーターの異物侵入防止構造において、
前記ネットの一端側を前記ダストシール押え部材の外周側面に当接させ、かつ、前記ネットの他端側を前記油溜め内の外周側壁に当接させるとともに、前記ネットの一端側の先端部を前記ダストシール押え部材の上面よりも上方に位置させ、かつ、前記ネットの他端側に複数個のスリットを設けてなることを特徴とする油圧エレベーターの異物侵入防止構造。
【請求項２】
前記ネットと前記ダストシール押え部材との間に、前記ダストシールにより掻き取られた作動油に混入した不純物を濾過するためのフィルターを設けたことを特徴とする請求項１記載の油圧エレベーターの異物侵入防止構造。
【請求項３】
前記ネットを、非通気性であって、油が浸透しない材料から形成したことを特徴とする請求項２記載の油圧エレベーターの異物侵入防止構造。
【請求項４】
前記ネットの形状を細長の長方形とし、前記ネットの一面にその長い方の辺と等間隔に短い方の辺と並行に板を貼り付けたことを特徴とする請求項１記載の油圧エレベーターの異物侵入防止構造。
【請求項５】
前記板は前記ネットのスリット部で９０°曲げても元の直線形にもどる復元力を備えた材質とし、前記ネットは前記板よりも柔軟性があり、且つ前記板よりも薄い材質としたことを特徴とする請求項１記載の油圧エレベーターの異物侵入防止構造。
【請求項６】
前記板は前記ネットの短い方の片と同じ長さで、スリット間の中間に貼り付けたことを特徴とする請求項１記載の油圧エレベーターの異物侵入防止構造。
【発明の詳細な説明】
【技術分野】
【０００１】
本発明は、油圧エレベーターのグランドの上面に設けた油溜めへの異物の侵入を防止するのに好適な油圧エレベーターの異物侵入防止構造に関するものである。
【背景技術】
【０００２】
従来の油圧エレベーターの異物侵入防止構造としては、油圧ユニットにより送り込まれた作動油により押し上げられるプランジャーと、このプランジャーの外筒となるシリンダーと、このシリンダーの上部に設けられて前記プランジャーの案内及び前記作動油の封油を行うグランドと、このグランドの上方に位置して前記プランジャーの外周面に付着した作動油を掻き取るダストシールと、前記グランドの上方に位置して前記ダストシールを押さえるダストシール押え部材と、前記ダストシールにより掻き取られた作動油を回収するために前記グランドの上面に設けたリング状の溝からなる油溜めを備え、その油溜めへの異物侵入を金網からなる防虫ネットにより防止するようにしたものが知られていた（例えば、特許文献１参照）。
【特許文献１】特開２００２−１６７１４２号公報（段落番号０００９〜段落番号００１３、図１〜図２）
【発明の開示】
【発明が解決しようとする課題】
【０００３】
しかしながら、特開２００２−１６７１４２号公報に記載された油圧エレベーターの異物侵入防止構造では、金網からなる防虫ネットがダストシール押え部材に接触しないように隙間を設けているため、この隙間よりも小さい虫の場合には、その隙間から油溜めに侵入した後、油溜めに集められた作動油と一緒にその油溜めのドレン開口を介して接続された油戻しホース内に流れ込んでしまうという問題があった。また、防虫ネットとダストシール押え部材との間に形成された隙間に、虫などの異物が引っ掛かった状態になった場合には、その異物を伝わってダストシールにより掻き取られた作動油が、防虫ネット側に流れた後、その作動油がグランドの外周壁に流れてしまうという問題があった。また、防虫ネットが金網からなっているので、空気中の細かい塵埃がその防虫ネットを通り過ぎて、グランドの上面に設けた油溜めに集められた作動油に混入してしまうという問題があった。
【０００４】
本発明の目的は、上記問題点にかんがみなされたものであって、グランドの油溜めへの異物の侵入及び作動油のグランド外への流出を阻止し得る構造簡単な油圧エレベーターの異物侵入防止構造を提供することにある。
【課題を解決するための手段】
【０００５】
上記目的を達成するために、本発明は、油圧ユニットにより送り込まれた作動油により押し上げられるプランジャーと、このプランジャーの外筒となるシリンダーと、このシリンダーの上部に設けられて前記プランジャーの案内及び前記作動油の封油を行うグランドと、このグランドの上方に位置して前記プランジャーの外周面に付着した作動油を掻き取るダストシールと、前記グランドの上方に位置して前記ダストシールを押さえるダストシール押え部材と、前記ダストシールにより掻き取られた作動油を回収するために前記グランドの上面に設けたリング状の溝からなる油溜めを少なくとも備え、その油溜めへの異物侵入をネットにより防止するようにした油圧エレベーターの異物侵入防止構造において、前記ネットの一端側を前記ダストシール押え部材の外周側面に当接させ、かつ、前記ネットの他端側を前記油溜め内の外周側壁に当接させるとともに、前記ネットの一端側の先端部を前記ダストシール押え部材の上面よりも上方に位置させ、かつ、前記ネットの他端側に複数個のスリットを設けてなることを特徴としている。
【０００６】
さらに、本発明は、前記ネットと前記ダストシール押え部材との間に、前記ダストシールにより掻き取られた作動油に混入した不純物を濾過するためのフィルターを設けたことを特徴としている。
【０００７】
さらに、本発明は、前記ネットを、非通気性であって、油が浸透しない材料から形成したことを特徴としている。
【０００８】
さらに、本発明は、前記ネットの形状を細長の長方形とし、前記ネットの一面にその長い方の辺と等間隔に短い方の辺と並行に板を貼り付けたことを特徴としている。
【０００９】
さらに、本発明は、前記板は前記ネットのスリット部で９０°曲げても元の直線形にもどる復元力を備えた材質とし、前記ネットは前記板よりも柔軟性があり、且つ前記板よりも薄い材質としたことを特徴としている。
【００１０】
さらに、本発明は、前記板は前記ネットの短い方の片と同じ長さで、スリット間の中間に貼り付けたことを特徴としている。
【発明の効果】
【００１１】
本発明によれば、虫などの異物が、グランドの上面に設けた油溜めに集められた作動油に混入するのを阻止するとともに、ダストシールにより掻き取られた作動油がグランドの外周壁に流れでるのを阻止することができる。
【発明を実施するための最良の形態】
【００１２】
以下、本発明に係る油圧エレベーターに異物侵入防止構造の実施形態を、図１〜図６に、基づいて説明する。図１は、本発明の一実施形態に係る油圧エレベーターの全体構成図である。図２は、本発明の一実施形態に係る油圧エレベーターのグランド部に異物侵入防止構造を施した状態の要部拡大説明図である。図３は、本発明の一実施形態に係る油圧エレベーターのグランド部に設置されるネットの展開図である。図４は、本発明の他実施形態に係る油圧エレベーターのグランド部に異物侵入防止構造を施した状態の要部拡大説明図である。図５は本発明のさらに他実施形態に係る油圧エレベーターのグランド部に異物侵入防止ネットを設置した状態を上から見た図である。図６は、図５に示す他実施形態に係る油圧エレベーターのグランド部に設置される異物侵入防止ネットの展開図である。
【００１３】
図１に示す一実施形態の油圧エレベーター１は、図１に示すように、機械室２に設置された油圧ユニット（パワーユニット）３と、昇降路４内に設置された油圧ジャッキ５と、油圧ユニット３内の作動油を油圧ジャッキ５に送るための油送管６と、油圧ジャッキ５によって昇降路４内に設けられたガイドレール７に沿って昇降させられる乗りかご８とを備えている。昇降路４の各階床９の出入口には、図１に示すように、ドア１０がそれぞれ設けられている。
【００１４】
油圧ジャッキ５は、図１に示すように、油圧ユニット３により送り込まれた作動油により押し上げられるプランジャー１１と、このプランジャー１１の外筒となり、かつ、昇降路４内底に立設されたシリンダー１２と、このシリンダー１２の上部に設けられてプランジャー１１の案内及び作動油の封油を行うグランド１３と、プランジャー１１の先端部に設けられたプーリー１４と、このプーリー１４に巻装された主ロープ１５とを備えており、プーリー１４を図１の点線で示す位置１４Ａに上昇させることで、乗りかご８を図１の点線で示す位置８Ａに上昇させるとともに、プーリー１４を図１の実線で示す位置に下降させることで、乗りかご８を図１の実線で示す位置に下降させる機能を有している。
【００１５】
グランド１３には、図２に示すように、そのグランド１３の上方に位置してプランジャー１１の外周面に付着した作動油を掻き取るダストシール１６と、グランド１３の上方に位置してダストシール１６を押さえるダストシール押え部材１７と、ダストシール１６の下部に位置してプランジャー１１の摺動面との隙間を塞ぐグランドパッキング１８と、ダストシール１６により掻き取られた作動油を回収するためにグランド１３の上面に設けたリング状の溝からなる油溜め１９と、この油溜め１９への異物侵入を防止するネット２０が、少なくとも備えられている。
【００１６】
ネット２０は、図２に示すように、一端側２０Ａをダストシール押え部材１７の外周側面１７Ａに全周に当接させ、かつ、他端側２０Ｂを油溜め１９内の外周側壁１９Ａに当接させるように、しかも、ネット２０の一端側２０Ａの先端部２０Ｃが前記ダストシール押え部材１７の上面よりも上方に位置するように、グランド１３に取り付けられる。ネット２０は、図３に示すように、展開すると、テープ状のごとく細長形状になっており、他端側２０Ｂに複数個のスリット２０Ｄが設けられ、かつ、一端側２０Ａに両面接着テープ２１が２個取り付けられている。ネット２０は、普通紙程度の硬さとしてある。
【００１７】
油溜め１９内底には、ドレン開口２２が設けられている。ドレン開口２２には油溜め１９に集められた作動油が油圧ユニット３の油タンクに戻すための油戻しホース２３が連結されている（図１及び図２を参照）。
【００１８】
ネット２０のグランド１３への取り付けは、ネット２０をダストシール押え部材１７の外周側面１７Ａの全周に巻き付けて両面接着テープ２１でネット２０の一端側２０Ａを接着固定した後、そのネット２０の他端側２０Ｂ全周を内方に湾曲させてその他端側２０Ｂを油溜め１９の全外周側壁１９Ａに当接させるようにすればよい。この場合、ネット２０の他端側２０Ｂは、元の状態に戻ろうとして、油溜め１９の外周側壁１９Ａに圧接し、かつ、スリット２０Ｄが重なった状態となる。なお、ネット２０の他端側２０Ｂは、スリット２０Ｄが設けられているので、内方に向って、容易に湾曲させることができる。
【００１９】
上記一実施形態の油圧エレベーター１によれば、ダストシール１６により掻き取られた作動油は、ダストシール押え部材１７の上面からネット２０を介して油溜め１９内に導かれる。この場合、ダストシール押え部材１７とネット２０の間に隙間が形成されないので、虫などの異物が油溜め１９内に侵入することがない。
【００２０】
図４に示す他実施形態の油圧エレベーター２４では、図１〜図３に示す油圧エレベーター１とは異なり、ネット２０とダストシール押え部材１７との間に、作動油に混入した不純物を濾過する機能を有するところのフィルター２５を設置して、このフィルター２５を介してダストシール１６により掻き取られた作動油を油溜め１９内に導くようにしてあるとともに、ネット２０を、非通気性であって、油が浸透しない材料(非通気性フイルムなど)から形成したものを使用するようにしてある。なお、図４において、図１〜図３と同一符号は同一内容を表している。
【００２１】
図４の他実施形態の油圧エレベーター２４によれば、ダストシール１６により掻き取られた作動油中の不純物がフィルター２５で濾過されるとともに、グランド１３の周囲の空気中に浮遊している細かい塵埃が、非通気性としたネット２０によって遮られるので、油溜め１９内の集められた作動油に混入しなくなる。また、ネット２０を、例えば、非通気性フイルム状として、巻き取り機に沢山巻いておき、ダストシール押え部材１７の外径の大きさに合わせて必要な分だけ切断して使用するようにすれば、ダストシール押え部材１７の外径が異なる毎に専用のネットを作成しなくてもよいので、低コストの油圧エレベーターの異物侵入防止構造を実現できる。
【００２２】
図５に示すさらに他実施形態の油圧エレベーター２７によれば、ネット２０の形状は、展開すると図６に示すように細長の長方形となっており、ネットの下端側２０Ｂには長さ方向に等間隔に複数個のスリット２０Ｄを設け、長い方の辺の片面側には面ファスナー２８が、短い方の辺の上端からスリットの開始端まで取り付けられており、ネット２０のもう一方の端のもう一方の面にも面ファスナー２８がネット端２０Ｃからネット全長の半分まで取り付けられている。
【００２３】
さらに、このスリット間にはネット２０の短い方の上端２０Ｅから下端２０Ｆまで薄板２６をネットの一面２０Ｇに取り付けられている。この薄板２６は、ある程度の弾性と復元性があり、ネットを上下方向に曲げようとしても元に戻るようになっている。また、ネット自体は前記薄板よりも柔らかく、厚さも薄い材質としている。
【００２４】
次にこのネット２０をグランド部に取り付ける手順を図５を用いて説明する。ネットの表面に接着した薄板２６をダストシール押え部材１７の外周１７Ａと当接させ、外周の全長に合わせてネットの両端に接着した面ファスナー２８で固定する。ここで、ネットの下端２０Ｆはグランド部の外周壁に当接しているので、油溜め溝１９の方へスリット開始端より押し込むと、弾力性があるので、容易に内側の油溜め溝の方へ湾曲させることができ、ネットに接着した薄板の復元力により元の直線に戻ろうとするので、油溜め溝の外周側壁１９Ａに当接される。
【００２５】
また、ネット２０の円周はダストシール押え部材の外周の円周に合わせているので、ダストシール押え部材の外周円周よりも油溜め溝の外周壁円周の方が小さいためにネットに余りが発生する。この余り部分をネットのスリット２０Ｄ部が重なることで解消している
また、前記薄板２６の長さは、ネットの下端２０Ｆまでではなく、ダストシール押え部材１７の外周１７Ａと当接させるまでの長さでも良い。
【００２６】
上記他実施形態の油圧エレベーター２７によれば、ダストシール１６により掻き取られた作動油は、ダストシール押え部材１７の上面からネット２０の薄板２６間を通って油溜め１９内に導かれる。この場合、ダストシール押え部材１７とネット２０の薄板２６間の隙間は作動油で満たされるので、虫などの異物が油溜め１９内に侵入することがない。また、作動油はネット２０及び薄板を伝わり油溜め溝へ導かれるので、グランドの外部へ油が飛散することが無く、さらにダストシール押え部材上面よりもネットが１００mm高いので、プランジャーが上方へ移動する際にダストシールとの接触面より飛散する作動油が外部へ飛散することが無い。
【００２７】
なお、本発明は、言うまでもなく、上記実施形態に示す油圧エレベーターの異物侵入防止構造のみに限定されず、本発明の趣旨を包含する範囲で、応用変更が可能である。
【図面の簡単な説明】
【００２８】
【図１】本発明の一実施形態に係る油圧エレベーターの全体概略構成図である。
【図２】本発明の一実施形態に係る油圧エレベーターのグランド部に異物侵入防止構造を施した状態の要部拡大説明図である。
【図３】本発明の一実施形態に係る油圧エレベーターのグランド部に設置されるネットの展開図である。
【図４】本発明の他実施形態に係る油圧エレベーターのグランド部に異物侵入防止構造を施した状態の要部拡大説明図である。
【図５】本発明のさらに他実施形態に係る油圧エレベーターのグランド部に異物侵入防止構造を施した状態の平面図である。
【図６】図５に示す他実施形態に係る油圧エレベーターのグランド部に設置されるネットの展開図である。
【符号の説明】
【００２９】
１    油圧エレベーター（一実施形態）
２    機械室
３    油圧ユニット
４    昇降路
５    油圧ジャッキ
６    油送管
７    ガイドレール
８    乗りかご
９    階床
１０  ドア
１１  プランジャー
１２  シリンダー
１３  グランド
１４  プーリー
１５  主ロープ
１６  ダストシール
１７  ダストシール押え部材
１７Ａ  外周側面
１８  グランドパッキング
１９  油溜め
１９Ａ  外周側壁
２０  ネット
２０Ａ  一端側
２０Ｂ  他端側
２０Ｃ  先端部
２０Ｄ  スリット
２０Ｅ  上方側
２０Ｆ  下方側
２０Ｇ  薄板貼り付け面
２１  両面接着テープ
２２  ドレン開口
２３  油戻しホース
２４  油圧エレベーター（他実施形態）
２５  フィルター
２６  薄板
２７  油圧エレベーター（他実施形態）
２８  面ファスナー
【図１】
2007261786.tif 000003
【図２】
2007261786.tif 000004
【図３】
2007261786.tif 000005
【図４】
2007261786.tif 000006
【図５】
2007261786.tif 000007
【図６】
2007261786.tif 000008